(57)【要約】【課題】運搬、設置、補修及び撤去が容易で、かつ、多くの場所に設置可能な組立式魚道を提供する。【解決手段】底板１２と、底板１２の左右両側にそれぞれ設けられた側壁板１３、１４と、下端が底板１２に当接又は近接し、左右端が側壁板１３、１４に当接して設けられた複数の仕切板１５、１６、１７とを備える傾斜配置された複数の魚道ユニット１８、１８ａが、河川の流れに沿って設けられた組立式魚道１０であって、仕切板１５、１６、１７の上部には、底位置が側壁板１３、１４の高さより低い位置にある切欠き１９が設けられ、各魚道ユニット１８、１８ａの隣り合う仕切板１５、１６、１７において、切欠き１９は左右方向に異なる位置に形成され、更に、魚道ユニット１８、１８ａは、直接又は貯水ユニット２０を介して連接され、しかも、流れ方向に沿って隣り合って連接される魚道ユニット１８、１８ａの底板１２は、傾斜角度が異なっている。【選択図】図１
0003162086.tif 000002
【実用新案登録請求の範囲】
【請求項１】
底板と、該底板の左右両側にそれぞれ設けられた側壁板と、下端が前記底板に当接又は近接し、左右端が前記側壁板に当接して設けられた複数の仕切板とを備える傾斜配置された複数の魚道ユニットが、河川の流れに沿って設けられた組立式魚道であって、
前記仕切板の上部には、底位置が前記側壁板の高さより低い位置にある切欠きが設けられ、前記各魚道ユニットの流れ方向に隣り合う前記仕切板において、前記切欠きは左右方向に異なる位置に形成され、
更に、前記複数の魚道ユニットは、直接又は貯水ユニットを介して連接され、しかも、流れ方向に沿って隣り合って連接される前記魚道ユニットの前記底板は、傾斜角度が異なることを特徴とする組立式魚道。
【請求項２】
請求項１記載の組立式魚道において、前記傾斜角度は０度を超え６０度以下の範囲にあることを特徴とする組立式魚道。
【請求項３】
請求項２記載の組立式魚道において、前記魚道ユニットは、複数のねじ部材を用いて連結されていることを特徴とする組立式魚道。
【請求項４】
請求項１〜３のいずれか１記載の組立式魚道において、前記仕切板は、前記側壁板に対して１／３以上の高さを有し、
前記切欠きは、上下幅及び左右幅が、それぞれ前記仕切板の上下幅及び左右幅に対して２／３以下であることを特徴とする組立式魚道。
【請求項５】
請求項１〜４のいずれか１記載の組立式魚道において、前記仕切板の上端は、左右領域でそれぞれ端部に向かって下方に傾斜していることを特徴とする組立式魚道。
【請求項６】
請求項１〜５のいずれか１記載の組立式魚道において、前記切欠きは、四角形であることを特徴とする組立式魚道。
【請求項７】
請求項１〜６のいずれか１記載の組立式魚道において、前記魚道ユニットは、金属製であることを特徴とする組立式魚道。
【考案の詳細な説明】
【技術分野】
【０００１】
本考案は、魚類を含む水生生物が河川のダムや堰のある領域を越えて移動できるようにする組立式魚道に関する。
【背景技術】
【０００２】
従来、河川にダムや堰を築造するときには、そのダムや堰によって河川に生息する水生生物の移動が妨げられないように、ダムや堰の一部に人工的な魚道が形成される。そして、水生生物は、流れが速すぎると遡上することができないので、魚道は、流れの速度を緩やかにする構造を有している。
例えば、特許文献１に記載の魚道は、水の流れる方向に沿って配置された対となる起立壁の間に階段状の段差部を設け、起立壁には、段差部の中央方向に張り出した傾斜面が密接配置されているので、この傾斜面により水の流れを弱めたり、下流側から上流側に向かう渦を形成したりしている。
【０００３】
また、特許文献２には、水の流れに沿って配置された溝状（開水路状）の魚道の溝底部に、溝底部に対して直交する複数の阻流板を設け、この阻流板によって河川の流れを緩やかにすることが開示されている。
そして、特許文献３には、堰やダム（河川横断構造物）の上下流の落差部分に、網状部材を備える複数の緩衝手段を有し、この網状部材によって水の流れを減速する魚道が開示されている。
更に、特許文献４には、切り欠きが設けられた隔壁板をＶ字溝に固着した組立式の魚道が開示されている。
【先行技術文献】
【特許文献】
【０００４】
【特許文献１】特開２００８−１８４７６２号公報
【特許文献２】特開２００５−９８０５７号公報
【特許文献３】特開２００２−３６３９５６号公報
【特許文献４】実用新案登録第３１１７６７８号公報
【考案の概要】
【考案が解決しようとする課題】
【０００５】
しかしながら、特許文献１、２に記載の魚道は、コンクリートによって形成されるので、製作が容易ではなく、魚道に破損や不具合が起きた場合、その修復や撤去が困難という問題があった。そして、既設のダムや堰に設置する場合には、大掛かりな工事が必要であり、更に、設置期間が長くなるという問題もあった。
また、特許文献３に記載の魚道は、有底でなく、それ自体では水路を形成できないので、ダムや堰の水の流れがある箇所に設置しなければならず、設置場所が限定されるという問題があった。
更に、特許文献４に記載の魚道は、傾斜角度が全範囲で一定のため、設置場所に制限がある。
本考案はかかる事情に鑑みてなされたもので、運搬、設置、補修及び撤去が容易で、かつ、多くの場所に設置可能な組立式魚道を提供することを目的とする。
【課題を解決するための手段】
【０００６】
前記目的に沿う本考案に係る組立式魚道は、底板と、該底板の左右両側にそれぞれ設けられた側壁板と、下端が前記底板に当接又は近接し、左右端が前記側壁板に当接して設けられた複数の仕切板とを備える傾斜配置された複数の魚道ユニットが、河川の流れに沿って設けられた組立式魚道であって、前記仕切板の上部には、底位置が前記側壁板の高さより低い位置にある切欠きが設けられ、前記各魚道ユニットの流れ方向に隣り合う前記仕切板において、前記切欠きは左右方向に異なる位置に形成され、更に、前記複数の魚道ユニットは、直接又は貯水ユニットを介して連接され、しかも、流れ方向に沿って隣り合って連接される前記魚道ユニットの前記底板は、傾斜角度が異なっている。
【０００７】
本考案に係る組立式魚道において、前記傾斜角度は０度を超え６０度以下の範囲にあるのが好ましい。
【０００８】
本考案に係る組立式魚道において、前記魚道ユニットは、複数のねじ部材を用いて連結されているのが好ましい。
【０００９】
本考案に係る組立式魚道において、前記仕切板は、前記側壁板に対して１／３以上の高さを有し、前記切欠きは、上下幅及び左右幅が、それぞれ前記仕切板の上下幅及び左右幅に対して２／３以下であるのが好ましい。
【００１０】
本考案に係る組立式魚道において、前記仕切板の上端は、左右領域でそれぞれ端部に向かって下方に傾斜しているのが好ましい。
【００１１】
本考案に係る組立式魚道において、前記切欠きは、四角形であるのが好ましい。
【００１２】
本考案に係る組立式魚道において、前記魚道ユニットは、金属製であるのが好ましい。
【考案の効果】
【００１３】
本願考案に係る組立式魚道は、魚道ユニットが、底板と、底板の左右両側にそれぞれ設けられた側壁板とを備えるので、魚道ユニット単体で水路を形成することができ、河川において流れの存在しなかった場所にも魚道を設けることが可能である。
また、傾斜配置された魚道ユニットが、左右の側壁板間に切欠きが設けられた複数の仕切板を備えるので、水の流速を弱めた流れを安定的に確保することができ、水生生物が容易に遡上できる環境を形成可能である。
【００１４】
そして、魚道ユニットを複数連接しているので、各魚道ユニットに分割することによって、持ち運び等の取り扱いが容易になり、運搬、設置、補修及び撤去の作業を容易、かつ短時間で行うことができる。
更に、流れ方向に沿って隣り合って連接される魚道ユニットの底板は、傾斜角度が異なるので、水の流れを細やかに調整可能である。
本考案に係る組立式魚道において、魚道ユニットが、複数のねじ部材を用いて連結されている場合、魚道ユニットの連結及びその取り外しを容易にすることができる。
【図面の簡単な説明】
【００１５】
【図１】本考案の一実施の形態に係る組立式魚道の斜視図である。
【図２】同組立式魚道の側面図である。
【図３】同組立式魚道の魚道ユニットの正断面図である。
【図４】（Ａ）、（Ｂ）は同組立式魚道の魚道ユニットと貯水ユニットの連結状態を示す説明図である。
【考案を実施するための形態】
【００１６】
続いて、添付した図面を参照しつつ、本考案を具体化した実施の形態につき説明し、本考案の理解に供する。
図１〜図４に示すように、本考案の一実施の形態に係る組立式魚道１０は、堰やダム等の、河川に形成された段差構造物１１に設けられ、河川に生息する水生生物である魚、蟹、海老等が、段差構造物１１を越えて河川を移動できるようにする人工的な魚道である。
【００１７】
組立式魚道１０は、底板１２と、底板１２の左右両側にそれぞれ設けられた側壁板１３、１４と、下端が底板１２に当接又は近接し、左右端が側壁板１３、１４に当接して設けられた複数の仕切板１５、１６、１７とをそれぞれ備える傾斜配置された複数の魚道ユニット１８、１８ａを河川の流れに沿って連接している。しかも、仕切板１５、１６、１７のそれぞれの上部には、底位置が側壁板１３、１４の高さより低い位置にある切欠き１９が設けられ、魚道ユニット１８（魚道ユニット１８ａについても同じ）の流れ方向に隣り合う仕切板１５、１６と隣り合う仕切板１６、１７のそれぞれにおいて、切欠き１９は左右方向に異なる位置に形成され、更に、魚道ユニット１８、１８ａは、貯水ユニット２０を介して連接され、しかも、流れ方向に沿って隣り合って連接される魚道ユニット１８、１８ａの底板１２は、傾斜角度が異なっている。
以下、これらについて詳細に説明する。
【００１８】
図１、図２に示すように、組立式魚道１０は、河川水（以下、単に「水」ともいう）の流れる向きに沿って直列に連結された、上流からの水が流入する流入ユニット２１、流速調整をする魚道ユニット１８、一定量の水を貯留する貯水ユニット２０、及び流速調整をする魚道ユニット１８ａを有している。
流入ユニット２１、魚道ユニット１８、１８ａ、及び貯水ユニット２０は、全て金属の一例であるステンレスを素材に形成され、水の流れにより各部に生じる水圧によって変形しないような強度を備えている。また、各ユニットをステンレスによって形成しているので、組立式魚道１０は、撤去の際、コンクリートで形成された魚道のように、河川に残留する破片等が生じず、河川環境の悪化を防止することができる。
【００１９】
段差構造物１１は、流入ユニット２１を配置する部分が最も高く、その流入ユニット２１の配置場所の下流側に下方に傾斜する傾斜面２２を有している。そして、その傾斜面２２には、底板１２が水平方向に対して傾斜角度αで傾斜する魚道ユニット１８と、貯水ユニット２０が設置されている。
魚道ユニット１８ａは、底板１２が水平方向に対して傾斜角度β（傾斜角度αと異なる角度）で傾斜して配置され、貯水ユニット２０から流れ出た水は、魚道ユニット１８ａを通って、魚道ユニット１８ａの下流側の端部から流れ出る。
【００２０】
ここで、傾斜角度α及びβは、０度を超え６０度以下の角度であり、本実施の形態では、傾斜角度α及びβがそれぞれ２８度及び２０度となっているが、この角度は、段差構造物の傾斜面の角度や、河川の流速等の値を基にして、設計段階等に決定することができ、傾斜角度αは、傾斜角度βに比べて小さい角度になっていてもよい。従って、組立式魚道１０は、様々な形状の段差構造物に対して設置可能であると共に、魚道ユニット１８、１８ａにおいて異なる流速となるように流速調整ができ、細やかな流れ速度の調整が可能である。
【００２１】
また、異なる傾斜角度の魚道ユニット１８、１８ａによって、魚道全体の流速を速度Ｓにする場合、等しい傾斜角度の魚道ユニット１８、１８ａによって、魚道全体の流速を速度Ｓにする場合に比べて、魚道の上流側端部と下流側端部の間の距離を短くできることを実験で確認している。従って、傾斜面の角度が急（例えば５０度）な段差構造物に対して、魚道を形成する場合には、魚道ユニット１８、１８ａの各傾斜角度を相違させることで、魚道の水生生物の入口（最も下流に位置する魚道ユニット１８ａの下流側端部）から段差構造物の下流側端部までの距離を短くでき、段差構造物の近くにいる水生生物が魚道の入口を見つけられない状態になるのを防止することが可能である。
なお、従来のコンクリート製の魚道は、一般的に１／５以下の緩やかな一定の勾配で形成されているので、魚道の入口が段差構造物から遠く離れた場所に位置しがちであるという問題があった。
【００２２】
流入ユニット２１は、段差構造物１１の最も高い平坦な部分に配置され、底板２３、及び底板２３の左右端にそれぞれ設けられた側壁板２４を有している。底板２３には、貫通孔２５が複数形成されているので、流入ユニット２１は、貫通孔２５にアンカーを打ち込むことによって、段差構造物１１に固定可能である。
流入ユニット２１の底板２３は、例えば、左右幅が５０〜２００ｃｍ（ここでは８０ｃｍ）、前後幅が５０〜２５０ｃｍ（ここでは１２０ｃｍ）の矩形であり、流入ユニット２１の側壁板２４の高さは、２０〜７０ｃｍ（ここでは２０ｃｍ）となっているが、設置する段差構造物の大きさ、形状等に合わせて大きさや形状の異なるものにすることができる。
【００２３】
魚道ユニット１８（魚道ユニット１８ａについても同じ）には、水の流れに対して交差する方向（７５度〜１０５度の範囲で、本実施の形態では９０度）に設置された仕切板１５、１６、１７が、下流側に向けて順に配置されている。
図３に示すように、仕切板１５、１６、１７は、側壁板１３、１４の高さの１／３以上４／３以下の高さを有し、本実施の形態では、側壁板１３、１４と略同一の高さに形成されている。
仕切板１５、１６、１７の左右端は、魚道ユニット１８の側壁板１３、１４に当接し、溶接あるいは、ねじ部材によって固定されている。そして、仕切板１５、１６、１７の上端は、左右領域でそれぞれ端部に向かって下方に傾斜して形成されており、仕切板１５、１６、１７の上部左右には、それぞれ端部切欠き２６、２７が形成されている。
【００２４】
また、仕切板１５、１６、１７には、上部中央に四角形（本実施の形態では、矩形）の切欠き１９が設けられ、各切欠き１９は、底位置が、側壁板１３、１４の高さより低い位置となっている。また、切欠き１９、端部切欠き２６、２７の各底位置は略同一の高さであるので、魚道ユニット１８を流れる水は、仕切板１５、１６、１７の切欠き１９及び端部切欠き２６、２７のみを流れる。従って、仕切板１５、１６、１７は、切欠き１９及び端部切欠き２６、２７が形成されている高さより低い位置に水の流れが緩やかな水溜り部を設けることができ、魚道ユニット１８を遡上する水生生物は、その水溜り部で休息しながら、上流に向かって移動可能である。
【００２５】
仕切板１５、１６、１７の各切欠き１９は、上下幅及び左右幅が、それぞれ仕切板１５、１６、１７の上下幅及び左右幅に対して１／５以上２／３以下の大きさに形成されている。
仕切板１５、１６、１７の各切欠き１９はそれぞれ、底位置が、仕切板１５、１６、１７の下端からＤ（１０ｃｍ以上１００ｃｍ以下で、例えば２０ｃｍ）の位置に形成されている。従って、仕切板１５、１６の間と、仕切板１６、１７の間に形成される水溜り部は、最も深い箇所で２０ｃｍの深さを有している。
そして、仕切板１５、１６、１７はそれぞれ、距離Ｌ（２０ｃｍ以上１００ｃｍ以下で、例えば４０ｃｍ）の間隔を空けて配置されている。従って、水溜り部は、水の流れ方向に４０ｃｍの長さを有している。
【００２６】
更に、仕切板１５、１６、１７を正面から見て、仕切板１５、１６、１７の各切欠き１９の左右方向の形成位置は、仕切板１５、１７が同じであるのに対し、仕切板１６は、仕切板１５、１７の切欠き１９より右側に形成され、流れ方向に隣り合う仕切板１５、１６、１７において、切欠き１９の位置が左右方向に異なっている。従って、水の流れは蛇行流となり、切欠きが直線上に並んで配置される場合に比べて、流速を低減する作用を高めることができる。そして、切欠き１９及び端部切欠き２６、２７を通過する水は、水生生物が容易に遡上できる速度となっている。
本実施の形態では、仕切板１５、１６、１７を正面から見て、仕切板１６の切欠き１９が、仕切板１５、１７の切欠き１９と重ならない位置に配置されている。
また、魚道ユニット１８の側壁板１３、１４は、底板１２の左右端に連続して形成され、底板１２に対して直交している。そして、側壁板１３、１４は、内側を流れる水から受ける力で変形しないように、上端部が内側に折り曲げられて強度補強されている。
【００２７】
図１、図２に示すように、貯水ユニット２０は、魚道ユニット１８と魚道ユニット１８ａの間に設けられ、上部を開放し、底部及び側部が板状部材で形成されている。貯水ユニット２０は、遡上する水生生物の休息可能な貯水領域を設け、更に、魚道ユニット１８から貯水ユニット２０に流入した水を、速度を遅くして、魚道ユニット１８ａに送り出すことができる。
【００２８】
図２、図４（Ａ）、（Ｂ）に示すように、流入ユニット２１と魚道ユニット１８、魚道ユニット１８と貯水ユニット２０、及び貯水ユニット２０と魚道ユニット１８ａはそれぞれ複数（本実施の形態では左右に４本ずつ）のボルト（ねじ部材の一例）２８と各ボルト２８に対応するナット２９によって固定されている。なお、図４（Ａ）、（Ｂ）には、魚道ユニット１８及び貯水ユニット２０の連結部を記載している。
そして、流入ユニット２１、魚道ユニット１８、１８ａ、及び貯水ユニット２０の各重量は、２０〜４０ｋｇ程度であり、人力によって容易に運搬可能に形成されている。
【００２９】
ここで、組立式魚道１０を段差構造物１１に設置する場合には、まず人力によって流入ユニット２１、魚道ユニット１８、１８ａ、及び貯水ユニット２０を段差構造物１１の所定の場所に配置し、アンカーによって流入ユニット２１を段差構造物１１に固定した後に、ボルト２８とナット２９によって、流入ユニット２１と魚道ユニット１８、魚道ユニット１８と貯水ユニット２０、及び貯水ユニット２０と魚道ユニット１８ａをそれぞれ連結する。なお、魚道ユニット１８及び貯水ユニット２０は、必要に応じて、アンカー等で段差構造物１１の傾斜面２２に固定してもよい。
【００３０】
そして、流入ユニット２１、魚道ユニット１８、１８ａ、及び貯水ユニット２０のいずれかに破損等が生じた場合には、ボルト２８とナット２９を外し、破損が生じたユニットのみを取り外して、新しいものに入れ替えることができ、補修作業が容易である。
また、段差構造物１１から組立式魚道１０全体を撤去する場合、ボルト２８とナット２９による固定を外し、流入ユニット２１の段差構造物１１への固定を解いた後に、流入ユニット２１、魚道ユニット１８、１８ａ、及び貯水ユニット２０を個別に分割した状態で、河川から持ち運ぶことができるので、容易かつ短時間の作業で撤去を行うことができる。
【００３１】
なお、ボルト２８を挿通するための挿通孔３０は、ボルト２８の直径より僅かに大きな直径を有する円形にすることができるが、ボルト２８を挿通孔３０に挿通した状態で連接された２つのユニット（例えば、流入ユニット２１と魚道ユニット１８）をユニットの連結部を中心に所定角度（１０度〜３０度で、例えば２０度）回動できるように、挿通孔３０を円形以外の形状の孔、例えば横長（長孔）にしてもよく、この場合には、組立式魚道１０を設置する現場で各ユニット間の角度調整を行うことができる。
【００３２】
以上、本考案の実施の形態を説明したが、本考案は、上記した形態に限定されるものでなく、要旨を逸脱しない条件の変更等は全て本考案の適用範囲である。
例えば、魚道ユニットを３つ以上設けてもよく、また、複数の魚道ユニットを、貯水ユニットを介することなく、直接連接してもよい。
更に、一つの魚道ユニットに設けられる仕切板の数は３つに限定されず、２つ、あるいは、４つ以上の仕切板を設けることができ、魚道ユニットによって仕切板の数を変えることもできる。
そして、流入ユニット、魚道ユニット、及び貯水ユニットは、鉄、アルミニウム、チタン等のステンレス以外の金属を用いて形成することが可能である。
【符号の説明】
【００３３】
１０：組立式魚道、１１：段差構造物、１２：底板、１３、１４：側壁板、１５〜１７：仕切板、１８、１８ａ：魚道ユニット、１９：切欠き、２０：貯水ユニット、２１：流入ユニット、２２：傾斜面、２３：底板、２４：側壁板、２５：貫通孔、２６、２７：端部切欠き、２８：ボルト、２９：ナット、３０：挿通孔
【図１】
0003162086.tif 000003
【図２】
0003162086.tif 000004
【図３】
0003162086.tif 000005
【図４】
0003162086.tif 000006